(57)【要約】      （修正有）【課題】容器本体内に収納された粉粒体の吐出量を必要に応じて調節することのできる簡便な粉粒体振出容器を提供する。【解決手段】所定の粉粒体を収納する容器本体１と、容器本体１内に収納された粉粒体を吐出させるための複数の孔部２１ａ，２２ａを有して容器本体１の上端開口部１１に装着される多孔状の中蓋２と、容器本体１の上端開口部１１を覆う着脱自在な外蓋３と、容器本体１を振動させるための起振機構と、起振機構が発する振動の大きさを可変とする振動調節部とを有する。起振機構は、容器本体１の部位に固定される振動モータと該振動モータに駆動電流を供給するための電源部とを含む。又、振動調節部は、電源部から振動モータに供給される駆動電流を増減して該振動モータを変速可能とする操作片５２を有する可変抵抗器から成る。【選択図】図１
0003149154.tif 000002
【実用新案登録請求の範囲】
【請求項１】
所定の粉粒体を収納する容器本体と、この容器本体内に収納された粉粒体を吐出させるための複数の孔部を有して前記容器本体の上端開口部に装着される多孔状の中蓋と、前記容器本体の上端開口部を覆う着脱自在な外蓋と、前記容器本体を振動させるための起振機構とを有する粉粒体振出容器において、
前記起振機構が発する振動の大きさを可変とする振動調節部を有することを特徴とする粉粒体振出容器。
【請求項２】
前記起振機構は、前記容器本体の部位に固定される振動モータと該振動モータに駆動電流を供給するための電源部とを含み、
前記振動調節部は、前記電源部から前記振動モータに供給される駆動電流を増減して該振動モータを変速可能とする操作片を有する可変抵抗器から成ることを特徴とする請求項１記載の粉粒体振出容器。
【請求項３】
前記粉粒体は、短繊維状の合成高分子からなる人工毛であることを特徴とする請求項１、又は２記載の粉粒体振出容器。
【請求項４】
前記起振機構が前記振動調節部と一体の振動ユニットとして前記容器本体に着脱自在とされていることを特徴とする請求項１〜３の何れか１項に記載の粉粒体振出容器。
【考案の詳細な説明】
【技術分野】
【０００１】
本考案は、短繊維状の合成高分子からなる人工毛などの粉粒体を収納する容器に係わり、特に収納された粉粒体を周囲に飛散させることなく、その適量を好適に振り出すことのできる粉粒体振出容器に関する。
【背景技術】
【０００２】
従来、短繊維状の人工毛ほか、塩や胡椒といった粉粒体を収納する容器として、図９に示すようなものが知られる。図９において、Ｂは所定の容積を有する容器本体であり、その上端開口部には、複数の孔部ｈを穿設した多孔状の中蓋Ｃｉが装着されている。又、容器本体Ｂの上部には、中蓋Ｃｉが装着された上端開口部を覆う着脱自在な外蓋Ｃｏが設けられる。そして、係る容器によれば、外蓋Ｃｏを外して容器本体Ｂを逆さにしながら上下に振ることにより、容器本体Ｂの内容物（粉粒体）を対象物上に適量ずつ撒き散らすことができる。
【０００３】
しかし、容器本体Ｂを振る動作は使用者自らが行うので、内容物を振り出すときに手元が狂って内容物が周囲に飛散してしまうことがあり、特に内容物としての人工毛を使用者自らが頭部に振り掛ける場合には操作が難しいという問題があった。
【０００４】
そこで、容器本体に振動モータを付設し、その駆動による振動を容器本体に伝播させることにより、使用者自らが容器本体を振ることなく内容物を振り出せるようにした装置が提案されている（例えば、特許文献１、２）。
【０００５】
【特許文献１】実開平４−９３０２１号公報
【特許文献２】登録実用新案第３０５１０１４号公報
【考案の開示】
【考案が解決しようとする課題】
【０００６】
上記の特許文献１、２に開示される装置によれば、使用者自らが容器本体を振らず、これを逆さにして保持すれば振動モータの振動により内容物が振り出されるので、内容物を周囲に飛散させずして対象物上に撒き散らすことができるものの、振動発生源である振動モータは、スイッチのＯＮ／ＯＦＦ操作によって駆動／停止するだけにすぎない。
【０００７】
つまり、振動モータは駆動時に一定速度で回転するだけであって、これが発する振動の大きさも一定であるから、内容物の吐出量を加減することができず、内容物が短時間で必要以上に吐出してしまったり、必要量を吐出させるのに多くの時間を要してしまったりするという問題がある。
【０００８】
本考案は以上のような事情に鑑みて成されたものであり、その目的は容器本体内に収納された粉粒体の吐出量を必要に応じて調節することのできる簡便な粉粒体振出容器を提供することにある。
【課題を解決するための手段】
【０００９】
本考案は上記目的を達成するため、
所定の粉粒体を収納する容器本体と、この容器本体内に収納された粉粒体を吐出させるための複数の孔部を有して前記容器本体の上端開口部に装着される多孔状の中蓋と、前記容器本体の上端開口部を覆う着脱自在な外蓋と、前記容器本体を振動させるための起振機構とを有する粉粒体振出容器において、
前記起振機構が発する振動の大きさを可変とする振動調節部を有することを特徴とする。
【００１０】
又、上記のように構成される粉粒体振出容器において、
前記起振機構は、前記容器本体の部位に固定される振動モータと該振動モータに駆動電流を供給するための電源部とを含み、
前記振動調節部は、前記電源部から前記振動モータに供給される駆動電流を増減して該振動モータを変速可能とする操作片を有する可変抵抗器から成ることを特徴とする。
【００１１】
更に、上記のように構成される粉粒体振出容器において、前記粉粒体は、短繊維状の合成高分子からなる人工毛であることを特徴とする。
【００１２】
加えて、前記起振機構が前記振動調節部と一体の振動ユニットとして前記容器本体に着脱自在とされていることを特徴とする。
【考案の効果】
【００１３】
本考案によれば、所定の粉粒体を収納する容器本体と、この容器本体内に収納された粉粒体を吐出させるための複数の孔部を有して容器本体の上端開口部に装着される多孔状の中蓋と、容器本体の上端開口部を覆う着脱自在な外蓋と、容器本体を振動させるための起振機構とを有する粉粒体振出容器において、起振機構が発する振動の大きさを可変とする振動調節部を有する構成とされていることから、粉粒体を振り掛ける対象物の大きさや状態などによって、起振機構の発する振動の大きさを変化させ、その振動が伝播する容器本体内に収納された人工毛その他の粉粒体の吐出量（単位時間当たりの振出量）を調節することができる。
【００１４】
又、起振機構が電源部を含む振動モータから構成されると共に、振動調節部が電源部から振動モータに供給される駆動電流を増減する可変抵抗器を有する構成では、それら各部材を小型の容器本体に対しても容易に組み込むことができる。
【考案を実施するための最良の形態】
【００１５】
以下、本考案の適用例を図面に基づいて詳細に説明する。図１は本考案に係る粉粒体振出容器の斜視分解図を示す。図１において、１は合成樹脂などから形成される有底円筒形の容器本体であり、当該容器本体１は所定の容積を有してその内部に粉粒体を収納する。
【００１６】
２は容器本体１の上端開口部１１に装着される多孔状の中蓋であり、この中蓋２に穿設される複数の孔部２１ａ，２２ａを通じて容器本体１内の粉粒体を少量ずつ吐出させ得るようになっている。特に、本例において、中蓋２は孔部２１ａを穿設した第１のノズル板２１と、その孔部２１ａよりも孔径が小さい孔部２２ａを穿設した第２のノズル板２２とを含み、そのノズル板２２よりもノズル板２１の開口率が大きく設定される構成とされている。ノズル板２２の外周には、上端に鍔部２３を有する円筒形の胴部２４が一体に形成されており、その胴部２４の下端にノズル板２１がノズル板２２と一定の間隔をあけて固着される構成とされている。
【００１７】
そして、２つのノズル板２１，２２を有する二重構造の中蓋２は、その胴部２４を容器本体１の上端開口部１１内に嵌め込むことにより定位置に保持され、このとき鍔部２３が上端開口部１１の開口縁に着座することにより、容器本体１内への中蓋２の脱落が防止されるようになっている。
【００１８】
尚、中蓋２はノズル板２１，２２のいずれか一方のみで構成することもできるが、上記のように孔径および開口率の大きいノズル板２１を内側にして、その外側にそれより孔径および開口率の小さいノズル板２２を対向配置する構成では、粉粒体の収納量が吐出量に与える影響を小さくすることができる。
【００１９】
又、図１において、３は容器本体１の上端開口部１１を覆う着脱自在な外蓋であり、この外蓋３は非使用時に容器本体１の上部に取り付けて容器本体１内への異物の混入や内容物の飛散を防止する働きをする。尚、容器本体１の上部外周には外蓋３を締結するための雄ねじ部１２が形成されると共に、外蓋３の内周には雄ねじ部１２に対応する図示せぬ雌ねじ部が形成されるが、外蓋３はねじ込み式に限らず、嵌合によるワンタッチの着脱方式にしても良い。
【００２０】
一方、容器本体１の底部には遮蔽カバー４が固定され、その内側に容器本体１に伝播する振動を発生する後述の起振機構が設けられている。尚、図１において、５２は起振手段が発する振動の大きさを調節するための操作片であり、その回転操作量に応じて上記起振機構が発する振動の大きさが変化するようになっている。
【００２１】
次に、図２は粉粒体振出容器の縦断面を示す。図２において、６は上記の起振機構であり、この起振機構６は、容器本体１の底部に固定される振動モータ６１と、この振動モータ６１に駆動電流を供給するための電源部６２とにより構成される。振動モータ６１は、モータ本体６１ａのロータ軸６１ｂにウェイト６１ｃを偏心状態で固定した構成であり、そのモータ本体６１ａは容器本体１の底部より突出する突片１３，１３の間に挟み込まれて容器本体１に固定されている。
【００２２】
そして、係る振動モータ６１によれば、ロータ軸６１ｂを回転駆動すると、これに偏心状態で固定されたウェイト６１ｃの作用によりモータ本体６１ａが振動し、その振動が容器本体１、中蓋２、ならびに容器本体１内に収容された粉粒体に伝播するために、外蓋３を外して容器本体１を逆さ（中蓋２の装着側を下向き）にするだけで、粉粒体を容器本体１から吐出させることができる。尚、モータ本体６１ａは、通電量に応じてロータ軸６１ｂの回転数が変化する可変速モータから成る。
【００２３】
又、図２から明らかなように、容器本体１の底部にはその内部に入り込む凹部１４が形成されており、その凹部１４内に電源部６２が配置可能とされている。
【００２４】
図３は、遮蔽カバー４を取り外した容器本体１の底部を示す斜視図である。この図で明らかなように、上記電源部６２は、縦長の電池ボックス６２ａ内に２本の乾電池６２ｂ（本例において、１．５Ｖの単三型乾電池）を収納可能にして構成される。又、遮蔽カバー４には、電源部６２に対応して開閉自在な電池蓋４１が取り付けられており、その電池蓋４１を開放することにより遮蔽カバー４を取り外すことなく乾電池６２ｂの交換を行える構成とされている。
【００２５】
又、図３において、５は起振機構６が発する振動の大きさを可変とする振動調節部である。この振動調節部５は、正逆に回転可能な図示せぬ軸部を有する公知の可変抵抗器５１を含み、その軸部に上記操作片５２を固定した構成とされている。そして、係る振動調節部５によれば、操作片５２を回転操作することにより、その回転操作量に応じて可変抵抗器５１の抵抗値が漸増あるいは漸減し、これにより振動モータ６１に供給される駆動電流を増減することができ、ひいては振動モータ６１を変速（ロータ軸６１ｂの回転数を増減）させて、容器本体１などに対する伝播振動の大きさ（振幅および振動数）を変化させることができる。
【００２６】
図４は、振動モータ６１の駆動に関する電気回路の一例を示す。この図で明らかなように、電源部６２、可変抵抗器５１、及び振動モータ６１は直列に接続される。特に、可変抵抗器５１は、回路を開閉するＯＮ／ＯＦＦスイッチ部５１ａを一体として有している。
【００２７】
具体的には、上記操作片５２が始端位置にあってスイッチ部５１ａがＯＦＦとなる一方、操作片５２を始端位置から終端位置に向けて回転させてゆくと、スイッチ部５１ａがＯＮとなりながら、可変抵抗器５１の抵抗値が漸減するようになっている。
【００２８】
尚、スイッチ部５１ａを可変抵抗器５１とは別に設ける構成としても良いが、そのような構成では、粉粒体を少量しか使用しない場合であるにも拘わらず、可変抵抗器５１の抵抗値が最小の状態で振動モータ６１が始動され、スイッチが入った途端に多くの粉粒体が吐出してしまう虞がある。この点、上記のような構成では、可変抵抗器５１の抵抗値が最小の状態で振動モータ６１が始動されてしまうことがなく、その振動を徐々に大きくして粉粒体の吐出量（単位時間当たりの振出量）を漸増させることができる。
【００２９】
ここで、以上のように構成される振出容器の作用を説明する。図５はその使用状態を示した概略図である。尚、本例では、容器本体１に粉粒体Ｐとして着色を施した短繊維状の合成高分子化合物で成る人工毛が収納され、図５中の符号Ｈは人工毛の散布対象として使用者の頭部を示している。この頭部Ｈに人工毛を振りかけるには、先ず上記の外蓋３を外し、頭部Ｈ上で容器本体１を逆さまにする。そして、操作片５２を回して上記振動モータ６１を起動すると、その振動が容器本体１に伝播して当該容器本体１が振動するために、内部に収納された人工毛が頭部Ｈに向けて振り出される。ここに、薄毛の進行程度が大きくその範囲が広い場合、人工毛の吐出量を鏡で確認しながら操作片５２の回転操作量を大きくすれば、人工毛の吐出量が増えるので、広範囲の薄毛部分をカバーするに足る多くの人工毛を速やかに吐出させることができる。
【００３０】
又、操作片５２の回転操作量を小さくすれば、人工毛の吐出量が減るので、薄毛の進行程度が小さくその範囲が狭い使用者にとって、人工毛の使用過多を防止しながら、その少量を薄毛部分に良好に掛け掛けることができる。
【００３１】
以上、本考案に係る振出容器の具体例について説明したが、容器本体１内に収納される粉粒体は人工毛に限らず、塩、胡椒、又は化学調味料などの粉末乃至は粒状物であってもよい。又、上記例では振動調節部５として回転操作形の可変抵抗器５１を用いる例を説明したが、これにスライド操作形の可変抵抗器を用いることもできる。
【００３２】
更に、起振機構６は容器本体１に固定することに限らず、これを容器本体１に対して着脱自在なユニットとしてもよい。図６〜図８はその一例を示す。図６〜図８において、７は振動ユニットで、この振動ユニット７は円筒状のユニットケース７１に振動調節部５（可変抵抗器５１及び操作片５２）と振動機構６（振動モータ６１及び電源部６２）とを内蔵して構成される。特に、本例において、ユニットケース７の上端開口縁に連結用突起７２が形成されると共に、容器本体１の下部外周に鉤形の切欠１４が形成され、その切欠１４に連結用突起７２を嵌め込むことにより振動ユニット７が容器本体１に連結される構成とされている。そして、このような着脱自在な振動ユニット７によれば、容器本体１内の粉粒体を使い切った後、新たな容器本体１に付け替えて使用に供することができる。尚、本例において、電源部６２はユニットケース７１に形成される凹部を電池ボックス６２ａとして、その電池ボックス６２ａ内に乾電池６２ｂを収容し、その電池ボックス６２ａを電池蓋７３により開閉可能とした構成とされている。
【図面の簡単な説明】
【００３３】
【図１】本考案に係る粉粒体振出容器を示す斜視分解図
【図２】同振出容器の縦断面図
【図３】起振機構の配置部分を示す斜視図
【図４】起振機構を作動させる電気回路図
【図５】本考案に係る粉粒体振出容器の使用態様を示す説明図
【図６】振動機構を容器本体に対して着脱自在な振動ユニットとした例を示す斜視分解図
【図７】振動ユニットの部分を破断して示して部分断面図
【図８】振動ユニットを底部側からみた斜視図
【図９】従来容器の縦断面図
【符号の説明】
【００３４】
１  容器本体
１１  上端開口部
２  中蓋
２１ａ，２２ａ  孔部
３  外蓋
４  遮蔽カバー
５  振動調節部
５１  可変抵抗器
５１ａ  スイッチ部
５２  操作片
６  起振機構
６１  振動モータ
６２  電源部
【図１】
0003149154.tif 000003
【図２】
0003149154.tif 000004
【図３】
0003149154.tif 000005
【図４】
0003149154.tif 000006
【図５】
0003149154.tif 000007
【図６】
0003149154.tif 000008
【図７】
0003149154.tif 000009
【図８】
0003149154.tif 000010
【図９】
0003149154.tif 000011